(57)【要約】【課題】空気より重い冷媒が内部に流通する室内熱交換器の伝熱管の接合部から冷媒が漏洩した場合に、室内機から室内への冷媒排出速度を低減でき、短時間のうちに室内に冷媒濃度が高い領域が形成されるのを抑制可能である空気調和機を提供する。【解決手段】この発明に係る空気調和機は、室内に設置された室内機筐体４０と、室内機筐体４０の内部に収容され、大気圧下で空気より重い冷媒が内部に流通する伝熱管１３を有する室内熱交換器３と、を備える。伝熱管１３は、複数の直状部１３ｂと、直状部１３ｂ同士を接続するＵ字状部１３ａとを備える。そして、直状部１３ｂとＵ字状部１３ａとの接合部Ｘの、最上接合部Ｙよりも鉛直下方側を気密に覆い、最上接合部Ｙよりも鉛直上方に配置された排出口３３が形成された貯留部３０をさらに備える。排出口３３の口径は、接合部Ｘの管径より大きい。【選択図】図４
2019184090.tif 000002
【特許請求の範囲】
【請求項１】
室内に設置された室内機筐体と、
前記室内機筐体の内部に収容され、大気圧下で空気より重い冷媒が内部に流通する伝熱管を有する熱交換器と、を備え、
前記伝熱管は、複数の直状部と、前記直状部同士を接続するＵ字状部とを備え、
前記直状部と前記Ｕ字状部との接合部の、前記接合部のうち最も鉛直上方にある最上接合部よりも鉛直下方側を気密に覆い、前記最上接合部よりも鉛直上方に配置された排出口が形成された貯留部をさらに備え、
前記排出口の口径は、前記接合部の管径より大きい空気調和機。
【請求項２】
前記貯留部の一部は、前記室内機筐体の一部である請求項１に記載の空気調和機。
【請求項３】
前記貯留部の内部には、貫通孔が形成された仕切り壁が設けられた請求項１又は請求項２に記載の空気調和機。
【請求項４】
前記貯留部は、一端に前記排出口が形成された排出管を備え、
前記排出管は、前記室内機筐体の内部で屈曲している請求項１又は請求項２に記載の空気調和機。
【請求項５】
前記貯留部は、一端に前記排出口が形成された排出管を備え、
前記排出管は、
鉛直方向に伸縮可能であり、
前記貯留部内の圧力が予め設定された基準以上となった場合に上方に伸長する請求項１から請求項３のいずれか一項に記載の空気調和機。
【発明の詳細な説明】
【技術分野】
【０００１】
この発明は、空気調和機に関するものである。
【背景技術】
【０００２】
室内機内に配設された、冷媒流路に溶接部分を有する室内熱交換器と、室内熱交換器の溶接部を覆い、溶接部から漏洩する冷媒を受けるカバーと、カバー内の冷媒を排出するためにカバーの下部に設けられた排出流路と、を備えた空気調和機が知られている（例えば、特許文献１参照）。
【先行技術文献】
【特許文献】
【０００３】
【特許文献１】特開２００８−２９２０６６号公報
【発明の概要】
【発明が解決しようとする課題】
【０００４】
しかしながら、特許文献１に示されるような空気調和機において、空気より重い冷媒を用いる場合、溶接部（接合部）からカバー内に噴出した空気より重い冷媒が、カバーの下部に設けられた排出流路からそのまま勢いよく噴き出してしまう可能性がある。このため、空気調和機の室内機から室内に速い速度で漏洩冷媒が排出されてしまい、短時間のうちに室内に冷媒濃度が高い領域が形成されてしまうおそれがある。
【０００５】
この発明は、このような課題を解決するためになされたものである。その目的は、大気圧下で空気より重い冷媒が内部に流通する熱交換器の伝熱管の接合部から冷媒が漏洩した場合に、室内機から室内への冷媒排出速度を低減でき、短時間のうちに室内に冷媒濃度が高い領域が形成されてしまうことを抑制可能である空気調和機を得ることにある。
【課題を解決するための手段】
【０００６】
この発明に係る空気調和機は、室内に設置された室内機筐体と、前記室内機筐体の内部に収容され、大気圧下で空気より重い冷媒が内部に流通する伝熱管を有する熱交換器と、を備え、前記伝熱管は、複数の直状部と、前記直状部同士を接続するＵ字状部とを備え、前記直状部と前記Ｕ字状部との接合部の、前記接合部のうち最も鉛直上方にある最上接合部よりも鉛直下方側を気密に覆い、前記最上接合部よりも鉛直上方に配置された排出口が形成された貯留部をさらに備え、前記排出口の口径は、前記接合部の管径より大きい。
【発明の効果】
【０００７】
この発明に係る空気調和機によれば、大気圧下で空気より重い冷媒が内部に流通する熱交換器の伝熱管の接合部から冷媒が漏洩した場合に、室内機から室内への冷媒排出速度を低減でき、短時間のうちに室内に冷媒濃度が高い領域が形成されてしまうことを抑制可能であるという効果を奏する。
【図面の簡単な説明】
【０００８】
【図１】この発明の実施の形態１に係る空気調和機が備える冷媒回路の構成概略を示す図である。
【図２】この発明の実施の形態１に係る空気調和機の全体構成を模式的に示す断面図である。
【図３】この発明の実施の形態１に係る空気調和機の室内熱交換器が備える伝熱管の構成を示す図である。
【図４】この発明の実施の形態１に係る空気調和機の室内機の内部構成を模式的に示す図である。
【図５】この発明の実施の形態１に係る室内機が備える貯留部の構成を模式的に示す斜視図である。
【図６】この発明の実施の形態１に関する実験における室内空間の構成を示す模式図である。
【図７】この発明の実施の形態１に関する実験から得られた結果の一例を示す図である。
【図８】この発明の実施の形態２に係る空気調和機の室内機の内部構成を模式的に示す図である。
【図９】この発明の実施の形態３に係る空気調和機の室内機の内部構成を模式的に示す図である。
【図１０】この発明の実施の形態４に係る空気調和機の室内機の内部構成を模式的に示す図である。
【図１１】この発明の実施の形態５に係る空気調和機の室内機が備える貯留部の構成を模式的に示す斜視図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図７は、この発明の実施の形態１に係るものである。図１は空気調和機が備える冷媒回路の構成概略を示す図である。図２は空気調和機の全体構成を模式的に示す断面図である。図３は空気調和機の室内熱交換器が備える伝熱管の構成を示す図である。図４は空気調和機の室内機の内部構成を模式的に示す図である。図５は室内機が備える貯留部の構成を模式的に示す斜視図である。図６は実験における室内空間の構成を示す模式図である。そして、図７は実験から得られた結果の一例を示す図である。
【００１１】
この発明の実施の形態１に係る空気調和機は、図１に示すように、室内機１及び室外機２を備えている。室内機１は、空気調和の対象となる室の内部に設置される。室外機２は、当該室の外部に設置される。室内機１は、室内熱交換器３及び室内ファン５を備えている。室外機２は、室外熱交換器４及び室外ファン６を備えている。室内機１と室外機２とは冷媒配管１０で接続されている。冷媒配管１０は、室内熱交換器３と室外熱交換器４との間で循環して設けられている。冷媒配管１０内には冷媒が封入されている。
【００１２】
冷媒配管１０内に封入される冷媒は、地球温暖化係数（ＧＷＰ）の小さいものを用いることが地球環境保護上の観点からいって望ましい。また、冷媒配管１０内に封入される冷媒は可燃性である。この冷媒は空気よりも平均分子量が大きい。すなわち、冷媒は、空気よりも密度が大きく、大気圧下で空気より重い。したがって、冷媒は、空気中では重力方向の下方へと沈んでいく性質を持っている。
【００１３】
このような冷媒として、具体的に例えば、テトラフルオロプロペン（ＣＦ３ＣＦ＝ＣＨ２：ＨＦＯ−１２３４ｙｆ）、ジフルオロメタン（ＣＨ２Ｆ２：Ｒ３２）、プロパン（Ｒ２９０）、プロピレン（Ｒ１２７０）、エタン（Ｒ１７０）、ブタン（Ｒ６００）、イソブタン（Ｒ６００ａ）、１．１．１．２−テトラフルオロエタン（Ｃ２Ｈ２Ｆ４：Ｒ１３４ａ）、ペンタフルオロエタン（Ｃ２ＨＦ５：Ｒ１２５）、１．３．３．３−テトラフルオロ−１−プロペン（ＣＦ３−ＣＨ＝ＣＨＦ：ＨＦＯ−１２３４ｚｅ）、二酸化炭素（ＣＯ２：Ｒ７４４）等の中から選ばれる１つ以上の冷媒からなる（混合）冷媒を用いることができる。
【００１４】
室内熱交換器３と室外熱交換器４との間における冷媒の循環経路の一側の冷媒配管１０には、四方弁９を介して圧縮機７が設けられている。圧縮機７は、供給された冷媒を圧縮して当該冷媒の圧力及び温度を高める機器である。圧縮機７は、例えば、ロータリ圧縮機、あるいは、スクロール圧縮機等を用いることができる。また、同循環経路の他側の冷媒配管１０には、電磁膨張弁８が設けられている。電磁膨張弁８は、例えばリニア電子膨張弁（ＬＥＶ：Ｌｉｎｅａｒ  Ｅｌｅｃｔｒｉｃ  ｅｘｐａｎｓｉｏｎ  Ｖａｌｖｅ）である。電磁膨張弁８は、流入した冷媒を膨張させ、当該冷媒の圧力及び温度を低下させる。四方弁９、圧縮機７及び電磁膨張弁８は、室外機２に設けられる。
【００１５】
室内機１側の冷媒配管１０である室内冷媒配管１０ａと室外機２側の冷媒配管１０である室外冷媒配管１０ｂとは、金属等からなる継手具を介して接続されている。具体的には、室内機１の冷媒配管１０には室内側の配管継手部１１が設けられている。また、室外機２の冷媒配管１０には室外側の配管継手部１１が設けられている。室内側の配管継手部１１と室外側の配管継手部１１との間には、接続用の冷媒配管１０が接続される。
【００１６】
以上のように構成された冷媒配管１０により冷媒の循環経路が形成される。そして、冷媒配管１０により形成された冷媒の循環経路と、当該循環経路上に冷媒配管１０により接続された、室内熱交換器３、室外熱交換器４、四方弁９、圧縮機７及び電磁膨張弁８とにより、冷凍サイクル（冷媒回路）が構成される。
【００１７】
このようにして構成された冷凍サイクルは、室内熱交換器３及び室外熱交換器４のそれぞれにおいて冷媒と空気の間で熱交換を行うことにより、室内機１と室外機２との間で熱を移動させるヒートポンプとして働く。この際、四方弁９を切り換えることにより、冷凍サイクルにおける冷媒の循環方向を反転させて冷房運転と暖房運転とを切り換えることができる。
【００１８】
図２に示すように、室内機１は、建屋の壁部２０の室内側に設置される。また、室外機２は、建屋の壁部２０の室外側に設置される。壁部２０には、貫通孔が形成されている。冷媒配管１０は、この貫通孔内を通されて、壁部２０を挟んで設置された室内機１と室外機２とを接続している。また、冷媒配管１０内の冷媒と外気との間での熱交換を抑制するため、冷媒配管１０の外周は断熱材で被覆されている。
【００１９】
図２及び図４に示すように、室内機１は、室内機筐体４０を備えている。室内機筐体４０は、室内に設置される。室内機筐体４０には、図示しない吸込口と、吹出口１２とが形成されている。吹出口１２は、室内機筐体４０における鉛直方向の中央部より下方に配置されている。吹出口１２からは、空気調和を行った空気が室内へ送風される。
【００２０】
室内機筐体４０の内部には、室内熱交換器３及び室内ファン５が収容されている。室内熱交換器３は、伝熱管１３及びフィン１４を備えている。伝熱管１３は室内冷媒配管１０ａと例えば溶接等により接続されている。伝熱管１３の内部には、室内冷媒配管１０ａを通じて冷媒が流通する。
【００２１】
図３に示すように、伝熱管１３は、直状部１３ｂ及びＵ字状部１３ａを備えている。直状部１３ｂは、直線状を呈する。直状部１３ｂは、複数設けられる。複数の直状部１３ｂは、互いに平行に、かつ、鉛直方向に並べられて配置される。それぞれの直状部１３ｂは、その長手方向が水平となるように配置されている。
【００２２】
Ｕ字状部１３ａは、Ｕ字状に屈曲している。Ｕ字状部１３ａは、隣合う直状部１３ｂの端部同士を接続している。直状部１３ｂとＵ字状部１３ａとの接続部分は、例えば、ろう付けにより接合されている。すなわち、直状部１３ｂとＵ字状部１３ａとの接合部Ｘは、ろう付け部である。前述したように各直状部１３ｂは鉛直方向に配置されているため、接合部Ｘも直状部１３ｂの一端側において鉛直方向に並んで配置される。これらの接合部Ｘのうち、鉛直方向の最も上に位置するものを、ここでは最上接合部Ｙと呼ぶ。
【００２３】
フィン１４は、複数設けられる。それぞれのフィン１４は、平板状の金属板である。複数のフィン１４は、間隔をあけて互いに平行になるように並べて配置される。それぞれのフィン１４は、その長手方向が鉛直となるように配置されている。伝熱管１３の直状部１３ｂは、これら複数のフィン１４を貫通して設けられる。
【００２４】
室内ファン５は、例えばラインフローファンである。ただし、室内ファン５は、ラインフローファンに限られない。室内機１の形態等に応じて、室内ファン５として、他に例えばプロペラファン、シロッコファン等を使用してもよい。
【００２５】
図４に示すように、この実施の形態に係る室内機１は、貯留部３０を備えている。この貯留部３０の構成について、図４に加えて図５も参照しながら説明する。貯留部３０は、貯留室３１及び排出管３２を備えている。貯留室３１は、室内機筐体４０の内部に収容されている。貯留室３１は、中空箱状の部材である。貯留室３１の外観は、例えば直方体状を呈する。貯留室３１の内部には、最上接合部Ｙを含む全ての接合部Ｘが収容される。貯留室３１は、次に述べる排出管３２と接続された箇所を除き、気密に構成される。
【００２６】
この実施の形態の構成例では、貯留室３１の側面部を伝熱管１３の直状部１３ｂが貫通して配置される。この際、貯留室３１の側面部と直状部１３ｂとの間に隙間ができないように、貫通部分をゴム等のシール材でシールするとよい。
【００２７】
排出管３２は、中空筒状の部材である。排出管３２の一端は、貯留室３１の上面部に接続される。貯留室３１の内部と排出管３２の内部とは、この接続部分を介して通じている。排出管３２の他端には、排出口３３が形成されている。排出管３２は、貯留室３１の上面部から上方に延びて配置される。排出口３３を含む排出管３２の他端側は、室内機筐体上面４１から上方に突出して配置される。
【００２８】
なお、排出口３３に埃、ゴミ等の異物の進入を防ぐための蓋を設けてもよい。また、排出口３３にメッシュ状のフィルターを設けてもよい。また、ここで示す構成例では、排出口３３の向きを鉛直上向きにしているが、排出口３３の向きはこれに限られない。他に例えば、排出口３３の向きを鉛直下向きとしてもよいし、水平方向を向けてもよい。
【００２９】
このように構成された貯留部３０は、全ての接合部Ｘの、最上接合部Ｙよりも鉛直下方側を貯留室３１によって気密に覆っている。また、貯留部３０に形成された排出口３３は、最上接合部Ｙよりも鉛直上方に配置されている。
【００３０】
以上のように構成された空気調和機において、ある接合部Ｘから冷媒が漏洩した場合を考える。前述したように、ここで用いられる冷媒は、空気より平均分子量が大きく、すなわち、大気圧下において空気より密度が大きい。よって、この冷媒は、大気圧下の空気中で鉛直下方に沈降していく性質を持っている。したがって、このような場合、漏洩した冷媒は、漏洩箇所から鉛直下方へと流れていく。
【００３１】
ここで、最上接合部Ｙよりも鉛直下方側は貯留室３１によって気密に覆われている。したがって、どの接合部Ｘで冷媒漏洩が発生しても、漏洩した冷媒は、貯留室３１内に落下して、貯留室３１内の底から貯まっていく。そして、貯留室３１内に貯まった漏洩冷媒の界面が貯留室３１の上端にまで達すると、漏洩冷媒は、排出管３２内に入り、排出口３３から室内空間に排出される。ここで、排出口３３の口径は、接合部Ｘの管径より大きくなるように構成される。したがって、排出口３３から排出される冷媒の流出速度、すなわち単位断面積を通過する単位時間当たりの冷媒量は、接合部Ｘから漏洩する冷媒の流出速度よりも小さくなる。
【００３２】
このように、この実施の形態に係る空気調和機によれば、大気圧下で空気より重い冷媒が内部に流通する室内熱交換器３の伝熱管１３の接合部Ｘから冷媒が漏洩した場合に、室内機１から室内への冷媒排出速度を低減できる。このため、短時間のうちに室内に冷媒濃度が高い領域が形成されてしまうことを抑制可能である。
【００３３】
また、以上のような貯留部３０を備えない従来技術では、接合部Ｘから漏洩した冷媒は、室内機筐体４０の下側に配置された吹出口１２から室内空間に排出される。これに対し、この実施の形態に係る空気調和機によれば、接合部Ｘから漏洩した冷媒は、吹出口１２よりも鉛直上方にあり、さらに室内機筐体上面４１よりも上方の排出口３３から室内空間に排出される。このように、接合部Ｘを収容する貯留室３１は、吹出口１２とは通じておらず、吹出口１２よりも鉛直上方の排出口３３と通じている。したがって、漏洩した冷媒を、吹出口１２よりも高い位置から室内空間に排出できる。
【００３４】
ここで、冷媒の室内空間への排出位置が高いほど室内の床面付近における冷媒濃度が低くなる。このことを、図６及び図７を参照しながら説明する。図６に示すのは、冷媒の室内空間への排出位置の高さと室内の冷媒濃度との関係を確認するための実験装置の一例である。この実験では、室内の１つの壁面に室内機１を据え付けて、吹出口１２から室内に冷媒をＭ［ｋｇ］漏洩させた。室内空間は容積Ｖ［ｍ＾３］の密閉された空間である。冷媒には、ガス比重が１．６のＲ２９０（プロパン）を用いた。床面の中心部に複数のガスセンサ１５を鉛直方向に並べて設置し、各高さにおける漏洩冷媒１６の濃度を測定した。実験は、室内機１の床面からの据付高さがｈ０、ｈ１、ｈ２［ｍ］（ｈ０＜ｈ１＜ｈ２）の３種類の条件で行った。なお、各条件でＭ［ｋｇ］の冷媒を漏洩させたあと、次の条件で実験する前に、密閉空間を開放して十分に換気を行い、冷媒濃度を実験前と同値としてから実験を開始した。
【００３５】
図７は、以上のようして行った実験結果の一例を示すグラフである。グラフの横軸は冷媒（Ｒ２９０）濃度［ｖｏｌ％］である。グラフの縦軸は床面高さ［ｍ］である。そして、グラフ中の実線は室内機１の据付高さｈ０［ｍ］、破線はｈ１［ｍ］、一点鎖線はｈ２［ｍ］の時の冷媒濃度を表している。室内機１の据付高さがｈ０、ｈ１及びｈ２［ｍ］のいずれの場合も、ある高さよりも床面に近い領域で冷媒濃度が急激に高くなることがわかる。これは、空気より重い漏洩冷媒１６が沈降して床面付近に溜まるからである。さらに、特に床面に近い領域の漏洩冷媒１６の濃度を比較すると次のことがわかる。すなわち、特に床面に近い領域では、室内機１の据付高さが最も低いｈ０の場合に漏洩冷媒１６の濃度が最も高く、室内機１の据付高さが最も高いｈ２の場合に漏洩冷媒１６の濃度が最も低い。室内機１の据付高さがｈ１の場合の漏洩冷媒１６の濃度は、その中間である。これは、室内への漏洩冷媒１６の排出位置が高くなるほど、漏洩冷媒１６が床面に沈降するまでの間のより広範囲で乱流が起こり、漏洩冷媒１６が撹拌されて、より広範囲に漏洩冷媒１６が拡散されて薄まるためと考えられる。
【００３６】
このように、室内への漏洩冷媒１６の排出位置を高くすると、床面付近の漏洩冷媒１６の濃度を低減できる。したがって、この実施の形態の空気調和機によれば、室内機筐体４０内の接合部Ｘから冷媒が漏洩した場合に、接合部Ｘよりも鉛直上方から室内に漏洩冷媒を排出できるため、室内の床面付近における冷媒濃度上昇を抑制することが可能である。
【００３７】
なお、ここで説明した構成例では、貯留部３０の貯留室３１が直方体状で排出管３２が円筒状であったが、これらの形状はここで説明したものには限られない。また、ここで説明した構成例では、室内機１を壁に設置したが、室内機１の設置箇所はここで説明したものには限られない。他に例えば、室内機１を天井に吊り下げたり、天井に埋め込んだりしてもよい。
【００３８】
実施の形態２．
図８は、この発明の実施の形態２に係るもので、空気調和機の室内機の内部構成を模式的に示す図である。
【００３９】
ここで説明する実施の形態２は、前述した実施の形態１の構成において、貯留部３０の一部を、室内機筐体の一部を利用して構成するようにしたものである。以下、この実施の形態２に係る空気調和機について、実施の形態１との相違点を中心に説明する。説明を省略した構成については実施の形態１と基本的に同様である。
【００４０】
この発明の実施の形態２に係る空気調和機は、図８に示すように、室内機筐体４０に第１の隔壁３４及び第２の隔壁３５を備えている。第１の隔壁３４は、室内機筐体４０の内部空間を２つに分割している。第１の隔壁３４は、最もＵ字状部１３ａ側に配置されたフィン１４と接合部Ｘとの間に配置される。第１の隔壁３４により分割された一方の空間（以下、単に「一方の空間」という）には、室内熱交換器３及び室内ファン５（図８では図示せず）が収容されている。そして、この一方の空間は吹出口１２に通じている。これに対し、第１の隔壁３４により分割された他方の空間（以下、単に「他方の空間」という）は、吹出口１２に通じていない。この他方の空間に貯留室３１が形成される。
【００４１】
ここで示す構成例では、他方の空間に電気品箱１７が収容されている。この電気品箱１７が収容される空間は、第２の隔壁３５により、貯留室３１とは隔離されている。このようにすることで、貯留室３１内に漏洩した冷媒と電気品箱１７の電気回路とが接触することを防止できる。
【００４２】
以上のようにして、この実施の形態では、第１の隔壁３４及び第２の隔壁３５と室内機筐体４０の一部とにより、貯留室３１が形成されている。すなわち、貯留部３０の一部は、室内機筐体４０の一部である。そして、貯留室３１を形成する室内機筐体上面４１の一部に、排出管３２が一端が接続されている。排出管３２の他端には排出口３３が形成されている。
【００４３】
以上のように構成された空気調和機においても、実施の形態１と同様の効果を奏することができる。さらに、貯留部３０の一部を、室内機筐体４０の一部を利用して構成することで、貯留部３０に必要な部材を少なくすることができる。
【００４４】
実施の形態３．
図９は、この発明の実施の形態３に係るもので、空気調和機の室内機の内部構成を模式的に示す図である。
【００４５】
ここで説明する実施の形態３は、前述した実施の形態１の構成において、貯留部の排出管を室内機筐体の内部で屈曲させるようにしたものである。以下、この実施の形態３に係る空気調和機について、実施の形態１との相違点を中心に説明する。説明を省略した構成については実施の形態１と基本的に同様である。
【００４６】
この発明の実施の形態３に係る空気調和機においては、図９に示すように、排出管３２は、室内機筐体４０の内部で屈曲している。具体的にここでは、排出管３２の一端は、貯留室３１の上面部に接続されている。排出管３２の中間部分は、室内機筐体４０の内部において、上下に折り返すようにして屈曲している。そして、排出管３２の他端側は、室内機筐体上面４１から室内機筐体４０の外部に露出している。
【００４７】
以上のように構成された空気調和機においても、実施の形態１と同様の効果を奏することができる。さらに、排出管３２を屈曲させることで、漏洩した冷媒が排出管３２を通過する際の速度を遅くできる。したがって、排出口３３から室内空間に排出される冷媒の速度をさらに低減することが可能である。
【００４８】
また、冷媒漏洩が発生してから室内へ冷媒が排出されるまでの時間を長くすることができる。このため、室内の使用者又は作業者が漏洩を認知してから、換気等の対応を行うための時間を十分に確保できる。
【００４９】
なお、ここで説明した構成例では、排出管３２を下に折り返すようにして屈曲させたが、排出管３２の屈曲方向はここで説明したものに限られない。他に例えば、排出管３２を水平方向に屈曲させたり、螺旋状に巻くように曲げたりしてもよい。
【００５０】
実施の形態４．
図１０は、この発明の実施の形態４に係るもので、空気調和機の室内機の内部構成を模式的に示す図である。
【００５１】
ここで説明する実施の形態４は、前述した実施の形態１の構成において、貫通孔が形成された仕切り壁を貯留部の内部に設けるようにしたものである。以下、この実施の形態４に係る空気調和機について、実施の形態１の構成を元にした場合を例に挙げ、実施の形態１との相違点を中心に説明する。説明を省略した構成については実施の形態１と基本的に同様である。
【００５２】
この発明の実施の形態４に係る空気調和機においては、図１０に示すように、貯留部３０の貯留室３１の内部に、仕切り壁１８が設けられている。仕切り壁１８は、排出管３２が貯留室３１に接続される部分と、貯留室３１内の接合部Ｘとの間に配置されている。仕切り壁１８には貫通孔１９が形成されている。接合部Ｘから漏洩した冷媒は、貫通孔１９を通って排出管３２に達し、排出口３３から室内空間に排出される。
【００５３】
この実施の形態の構成例では、仕切り壁１８が複数設けられている。これらの仕切り壁１８は、平行に配置されている。各仕切り壁１８の貫通孔１９は、仕切り壁１８の壁面に垂直な方向から見て、互いに重ならないように配置されている。
【００５４】
以上のように構成された空気調和機においても、実施の形態１と同様の効果を奏することができる。さらに、仕切り壁１８により接合部Ｘから貯留室３１内に漏洩した冷媒が排出管３２に達するまでの流通を阻害できる。したがって、排出口３３から室内空間に排出される冷媒の速度をさらに低減することが可能である。また、実施の形態３の構成と比較して、室内機筐体４０の内部のスペースをより有効に活用して、貯留部３０に貯留できる冷媒の容量を大きくすることができる。
【００５５】
なお、図１０に示す構成例では、貫通孔１９が各仕切り壁１８の上端部と下端部とに交互に配置されるようになっている。このようにすることで、漏洩した冷媒が１つの仕切り壁１８の貫通孔１９を通過してから、次の仕切り壁１８の貫通孔１９を通過するまでの移動距離を長くできる。したがって、漏洩した冷媒の流通をより阻害することが可能である。
【００５６】
なお、ここで説明した構成例では、仕切り壁１８の壁面が鉛直に配置されるようにしたが、仕切り壁１８の配置はここで説明したものに限られない。他に例えば、仕切り壁１８の壁面を水平に配置したり、傾斜して配置したりしてもよい。
【００５７】
実施の形態５．
図１１は、この発明の実施の形態５に係るもので、空気調和機の室内機が備える貯留部の構成を模式的に示す斜視図である。
【００５８】
ここで説明する実施の形態５は、前述した実施の形態１から実施の形態４のいずれかの構成において、排出管を鉛直方向に伸縮可能とし、冷媒が貯留室内に漏洩した時に排出管が伸長するようにしたものである。以下、この実施の形態５に係る空気調和機について、実施の形態１の構成を元にした場合を例に挙げ、実施の形態１との相違点を中心に説明する。説明を省略した構成については実施の形態１から実施の形態４のいずれかと基本的に同様である。
【００５９】
この発明の実施の形態５に係る空気調和機においては、図１１に示すように、排出管３２は、例えば径が少しずつ異なる複数の筒からなるテレスコピック構造を備えている。このテレスコピック構造により、排出管３２は鉛直方向に伸縮可能である。なお、排出管３２は、伸縮可能であればテレスコピック構造に限られない。他に例えば、排出管３２は蛇腹構造を備えていてもよい。
【００６０】
通常時において、排出管３２は縮退している。排出管３２が縮退した状態では、排出管３２の全体が室内機筐体４０内に収容されている。すなわち、排出口３３は室内機筐体上面４１よりも鉛直下方にある。
【００６１】
排出口３３には蓋が設けられている。排出口３３の蓋は、通常時において閉じている。排出口３３の蓋は、内側から予め設定された大きさの力がかかると開くようになっている。排出口３３の蓋が開くのに必要な力は、排出管３２のテレスコピック構造を伸長させるのに必要な力より大きい。
【００６２】
したがって、接合部Ｘから冷媒が漏洩して貯留室３１及び排出管３２の内部の圧力が上昇すると、まず、排出口３３の蓋は閉じたまま排出管３２が伸長する。排出管３２が伸長すると、排出管３２の排出口３３側が室内機筐体上面４１よりも上方に突出する。すなわち、この実施の形態においては、排出管３２は、貯留部３０内の圧力が予め設定された基準以上となった場合に上方に伸長する。そして、排出管３２が最大長になった後も冷媒の漏洩が継続して貯留室３１及び排出管３２の内部の圧力がさらに上昇すると、排出口３３の蓋が開き、排出口３３から冷媒が排出される。
【００６３】
以上のように構成された空気調和機においても、実施の形態１から実施の形態４のいずれかと同様の効果を奏することができる。さらに、通常時において排出管３２を室内機筐体４０の内部に収容できるため、室内機１の意匠性を向上できる。さらに、通常時には突出していなかった排出管３２が、冷媒漏洩時に室内機筐体４０から突出することで、冷媒漏洩が発生したことを周囲の使用者又は作業者等に報知できる。
【００６４】
なお、実施の形態１から実施の形態４において、例えば、貯留室３１内の圧力を検出するセンサを設けることで、冷媒漏洩の発生を検知できるようにしてもよい。そして、センサを用いて冷媒漏洩の発生を検知した場合に、例えばＬＥＤの点灯、音声の鳴動等により報知するようにしてもよい。
【符号の説明】
【００６５】
１    室内機
２    室外機
３    室内熱交換器
４    室外熱交換器
５    室内ファン
６    室外ファン
７    圧縮機
８    電磁膨張弁
９    四方弁
１０    冷媒配管
１０ａ  室内冷媒配管
１０ｂ  室外冷媒配管
１１    配管継手部
１２    吹出口
１３    伝熱管
１３ａ  Ｕ字状部
１３ｂ  直状部
１４    フィン
１５    ガスセンサ
１６    漏洩冷媒
１７    電気品箱
１８    仕切り壁
１９    貫通孔
２０    壁部
３０    貯留部
３１    貯留室
３２    排出管
３３    排出口
３４    第１の隔壁
３５    第２の隔壁
４０    室内機筐体
４１    室内機筐体上面
Ｘ    接合部
Ｙ    最上接合部
【図１】
2019184090.tif 000003
【図２】
2019184090.tif 000004
【図３】
2019184090.tif 000005
【図４】
2019184090.tif 000006
【図５】
2019184090.tif 000007
【図６】
2019184090.tif 000008
【図７】
2019184090.tif 000009
【図８】
2019184090.tif 000010
【図９】
2019184090.tif 000011
【図１０】
2019184090.tif 000012
【図１１】
2019184090.tif 000013